(57)【要約】【課題】  電気光学パネルの駆動回路に供給されるコモン電位のノイズやリプルを有効に低減する。【解決手段】  液晶パネル１０は、面状に配列された複数の画素電極１２と、液晶１８２を挟んで画素電極１２に対向する対向電極１７１とを有する。配線基板３０には、低位側電源電位Ｇｎｄと対向電極１７１に印加されるコモン電位Ｖcomとを生成する電源回路３３が実装されている。ＦＰＣ２０は、液晶パネル１０と配線基板３０とに固定された可撓性を有する基材２１と、コモン電位Ｖcomを液晶パネル１０に供給するためのコモン配線２３１と、低位側電源電位Ｇｎｄを液晶パネル１０に供給するための接地線２３２とを有する。基材２１には、コモン配線２３１と接地線２３２との間に介挿されたチップコンデンサ２５１が実装されている。【選択図】      図１
2005208481.tif 000002
【特許請求の範囲】
【請求項１】
面状に配列された複数の画素電極と電気光学物質を挟んで前記複数の画素電極に対向する対向電極とを具備する電気光学パネルと、
電源電位と前記対向電極に印加されるコモン電位とを生成する電源回路が設けられた配線基板と、
前記電気光学パネルと前記配線基板とに固定された可撓性を有する基材を有し、前記電源電位を前記電気光学パネルに供給するための第１の配線と前記コモン電位を前記電気光学パネルに供給するための第２の配線との間に静電容量を有するフレキシブル配線基板と
を具備する電気光学装置。
【請求項２】
前記静電容量は、前記基材の板面上に実装されたチップコンデンサである
請求項１に記載の電気光学装置。
【請求項３】
前記静電容量は、前記基材のうち前記配線基板に固定された端部と前記電気光学パネルに固定された端部との中央部からみて前記電気光学パネル側に設けられている
請求項２に記載の電気光学装置。
【請求項４】
前記静電容量は、前記第１の配線と前記第２の配線とを電極とする容量である
請求項１に記載の電気光学装置。
【請求項５】
前記第１の配線および前記第２の配線の各々は、前記基材の板面に垂直な方向からみて相互に重なり合って前記静電容量を構成する電極部分を有する
請求項４に記載の電気光学装置。
【請求項６】
前記第１の配線および前記第２の配線の各々は、前記基材のうち前記配線基板に固定された端部と前記電気光学パネルに固定された端部とに形成された配線部分を有し、前記電極部分は前記配線部分よりも幅が広い
請求項５に記載の電気光学装置。
【請求項７】
一端が前記対向電極と電気的に接続されるとともに他端が前記第２の配線と電気的に接続された抵抗
を具備する請求項１から６の何れかに記載の電気光学装置。
【請求項８】
請求項１から７の何れかに記載の電気光学装置を表示装置として備えた電子機器。
【請求項９】
複数の走査線と複数のデータ線との交差に配置された複数の画素電極に電気光学物質を挟んで対向する対向電極を備えた電気光学パネルと、電源電位および前記対向電極に印加されるコモン電位を生成する電源回路が設けられた配線基板との間に介在するフレキシブル配線基板において、
前記電気光学パネルと前記配線基板とに固定された可撓性を有する基材と、
前記コモン電位を前記電気光学パネルに供給するための第１の配線と、
前記電源電位を前記電気光学パネルに供給するための第２の配線と、
前記第１の配線と前記第２の配線との間に設けられた静電容量と
を具備するフレキシブル配線基板。
【発明の詳細な説明】
【技術分野】
【０００１】
本発明は、液晶などの電気光学物質を用いて画像を表示する電気光学パネルに対して電源電位など各種の電位を供給する技術に関する。
【背景技術】
【０００２】
液晶装置に代表される各種の電気光学装置は、複数の画素を有する電気光学パネルを備える。例えば、画素への電圧印加を制御するための能動素子としてトランジスタが採用されたアクティブマトリクス方式の電気光学パネルは、マトリクス状に配列された複数の画素電極と、これらの画素電極に電気光学物質を挟んで対向する対向電極とを有する。この構成のもと、複数の画素電極に対して表示画像に応じた電位が印加されるとともに対向電極に対して電位（以下「コモン電位」という）が印加されることにより、電気光学物質への印加電圧に応じた種々の画像が表示される。特許文献１に開示されているように、電源電位やコモン電位など各種の電位を生成するための電源回路は、フレキシブル配線基板（以下「ＦＰＣ」という）を介して電気光学パネルに接続された配線基板に実装されるのが一般的である。
【０００３】
【特許文献１】特開２００２−１８２６０４号公報（段落００１５および段落００４２）
【発明の開示】
【発明が解決しようとする課題】
【０００４】
ところで、電源回路から出力される電源電位やコモン電位にはノイズやリプルが生じ得る。特にコモン電位は電気光学物質に印加される電位であるから、これにノイズやリプルが発生した場合には電気光学物質に対して所期の電圧とは異なる電圧が印加されることとなって表示品位の低下が引き起こされるという問題が生じ得る。この問題を解決するための方策としては、電源回路からの各出力配線に対して並列に接続されたバイパス用のコンデンサ（例えばチップコンデンサ）を配線基板に実装することが考えられる。しかしながら、配線基板上のコンデンサによってノイズやリプルが低減されたとしても、コモン電位や他の電源電位はフレキシブル配線基板の配線により形成されるインダクタンス成分を経由した後に電気光学パネルに供給されるから、電気光学パネルに実際に供給されるコモン電位や電源電位のノイズやリプルを除去するには限界がある。本発明は、このような事情に鑑みてなされたものであり、その目的は、配線基板からＦＰＣを経由して電気光学パネルに供給される各電位のノイズやリプルを有効に低減することにある。
【課題を解決するための手段】
【０００５】
この目的を達成するために、本発明に係る電気光学装置は、面状に配列された複数の画素電極と電気光学物質を挟んで複数の画素電極に対向する対向電極とを具備する電気光学パネルと、電源電位と対向電極に印加されるコモン電位とを生成する電源回路が設けられた配線基板と、電気光学パネルと配線基板とに固定された可撓性を有する基材を有し、電源電位を電気光学パネルに供給するための第１の配線とコモン電位を電気光学パネルに供給するための第２の配線との間に静電容量を有するフレキシブル配線基板とを具備する。なお、本発明における「電気光学物質」とは、電流や電圧といった電気的な作用を透過率や輝度といった光学的な作用に変換する物質であり、例えば液晶や有機ＥＬ（ElectroLuminescent）などである。
【０００６】
この構成においては、コモン電位が印加される第１の配線と電源電位（典型的には接地電位）が印加される第２の配線との間の静電容量が電気光学パネルと配線基板との間に介在するフレキシブル配線基板に設けられている。このため、配線基板の配線により形成されるインダクタンス成分のほかフレキシブル配線基板の配線により形成されるインダクタンス成分を経由した後の段階でコモン電位や電源電位のノイズやリプルが静電容量によって除去され、この除去後の各電位が電気光学パネルに供給される。したがって、本発明によれば、電気光学パネルに供給されるコモン電位や電源電位のノイズやリプルを低減して良好な表示品位が実現される。なお、コモン電位は、典型的には略一定の電位であるが、特定の時間ごとに（例えば画素電極への印加電圧の極性反転に同期して）レベルが変動する電位であってもよい。
【０００７】
より具体的には、基材の板面上に実装されたチップコンデンサがコモン電位や電源電位を平滑化するための静電容量として採用され得る。この態様によれば、コモン電位または電源電位のノイズやリプルを解消するために充分な容量値を有するチップコンデンサを平滑用の静電容量として利用することができる。なお、フレキシブル配線基板に設けられた配線のインダクタンス成分の影響をより有効に低減するためには、第１の配線および第２の配線のうち電気光学パネルに接続される端部の近傍において（すなわち電源電位が電気光学パネルに出力される直前において）コモン電位または電源電位のノイズやリプルを低減することが望ましい。例えば、基材のうち配線基板に固定された端部と電気光学パネルに固定された端部との中央部からみて電気光学パネル側に平滑用の静電容量が設けられる。
【０００８】
他の態様においては、第１の配線と第２の配線とを電極として平滑用の静電容量が構成される。この構成によれば、チップコンデンサなど配線とは別個の電気部品を基材上に実装する必要はないから部品点数の低減や製造工程の簡略化が図られる。また、平滑用の静電容量として利用されるチップコンデンサを基材に実装するためには半田付けなどの方法が用いられるが、この場合には耐熱性を有する材料によって基材を形成する必要がある。これに対し、配線を静電容量の電極として兼用する場合には基材の耐熱性の有無が問題とならないから、より安価な材料からなる基材を利用できるという利点がある。
【０００９】
第１および第２の配線により静電容量が形成される態様においては、第１の配線および第２の配線の各々が、基材の板面に垂直な方向からみて相互に重なり合う電極部分を有する構成が採用され得る。この構成によれば平滑用の静電容量の容量値を増大させることができるから、第１の配線と第２の配線とを単に基板上に隣り合わせた構成と比較して、コモン電位や電源電位のノイズをより有効に低減することができる。ここで、平滑用の静電容量について充分な容量値を確保するためには電極部分の面積（特に配線の幅）を比較的広くする必要がある。したがって、第１の配線および第２の配線をその全長にわたって幅広の配線とした構成も採用され得る。しかしながら、この構成においては配線が占める基材上のスペースが大きくなる。特に、基材のうち電気光学パネルや配線基板と接合される部分には多数の配線が集中するから第１の配線と第２の配線とが占めるスペースを少なくすることが望ましい。そこで、本発明の望ましい態様においては、第１の配線および第２の配線の各々に、基材のうち配線基板に固定された端部と電気光学パネルに固定された端部とに形成された配線部分が設けられ、上述した電極部分は配線部分よりも幅広とされる（配線部分の幅が電極部分の幅よりも狭くなされる）。この構成によれば、幅が広い電極部分によって静電容量に充分な容量値を持たせることができる一方、各配線のうち電気光学パネルや配線基板に接合される部分のスペースが配線部分によって低減される。
【００１０】
また、本発明に係る電子機器は、上述した電気光学装置を表示装置として備える。本発明に係る電気光学装置によればコモン電位および電源電位のノイズやリプルが有効に低減されるから、良好な表示品位が要求される電子機器の表示装置として特に好適である。また、極めて多数の画素を有する高精細な表示装置においては、コモン電位や電源電位に生じた僅かなノイズやリプルが表示品位に重大な影響を与え得る。本発明に係る電気光学装置によれば、フレキシブル配線基板のインダクタンス成分の影響を受けたノイズやリプルも有効に低減されるから、高精細な表示装置に適用された場合に特に顕著な効果を奏する。
【００１１】
さらに、本発明は、電気光学パネルと配線基板との間に介在するフレキシブル配線基板としても実施され得る。すなわち、このフレキシブル配線基板は、電気光学パネルと配線基板とに固定された可撓性を有する基材の板面上に、コモン電位を電気光学パネルに供給するための第１の配線と、電源電位を電気光学パネルに供給するための第２の配線とが形成され、第１の配線と第２の配線との間に平滑用の静電容量が設けられる。このフレキシブル配線基板によれば、本発明に係る電気光学装置について上述したのと同様の理由により、配線基板の電源回路から供給されるコモン電位や電源電位のノイズやリプルを有効に低減したうえで電気光学パネルに供給することができる。
【発明を実施するための最良の形態】
【００１２】
図面を参照しながら本発明の実施の形態を説明する。なお、以下に示す各図においては、各構成要素の寸法や比率を便宜的に実際のものとは異ならせてある。また、以下に示す第１ないし第３実施形態においては、電気光学物質として液晶を用いた液晶装置に本発明を適用した形態を例示する。
【００１３】
＜Ａ：第１実施形態＞
図１は、本発明の第１実施形態に係る液晶装置の構成を示す平面図であり、図２は図１におけるII−II線からみた断面図である。これらの図に示されるように、この液晶装置１００は、液晶パネル１０とＦＰＣ２０と配線基板（プリント基板）３０とを有する。このうち液晶パネル１０は、マトリクス状に配列された複数の画素により種々の画像を表示する装置であり、シール材１８１を介して貼り合わされた素子基板１１および対向基板１７と両基板に挟まれた液晶１８２とを有する。対向基板１７のうち液晶１８２と対向する板面上には、図２に示されるように、その略全面にわたって対向電極１７１が設けられている。
【００１４】
一方、素子基板１１のうち液晶１８２と対向する板面上には、図１に示されるように、Ｘ方向に延在して走査線駆動回路１４１に接続された複数の走査線１３１と、Ｙ方向に延在してデータ線駆動回路１４３に接続された複数のデータ線１３３と、走査線１３１およびデータ線１３３に薄膜トランジスタ（図示略）を介して接続された画素電極１２とが設けられている。ひとつの画素は、画素電極１２と、これに対向する対向電極１７１と、両電極により挟まれた液晶１８２とにより構成される。素子基板１１上に形成された走査線駆動回路１４１およびデータ線駆動回路１４３は、画素電極１２に対して駆動信号（走査信号やデータ信号）を供給することによって画素を駆動する回路である。
【００１５】
素子基板１１のうち対向基板１７の周縁から張り出した部分（以下「張出部」という）１１ａには多数の配線１５が形成されている。これらの配線１５は一端が素子基板１１の周縁１１ｂに至るようにパターニングされている。走査線駆動回路１４１およびデータ線駆動回路１４３の入力端子にはこれらの配線１５の他端が接続されている。また、上述した対向電極１７１は、対向基板１７の四隅のうち少なくとも１箇所に設けられた導通材（図示略）を介して配線１５と電気的に接続されている。
【００１６】
一方、配線基板３０は、液晶パネル１０を駆動するための各種の電子回路が実装されたリジッド基板である。図１および図２に示されるように、配線基板３０には電源回路３３が実装されている。この電源回路３３は、液晶パネル１０の走査線駆動回路１４１やデータ線駆動回路１４３が駆動信号を生成するために用いる高位側電源電位Ｖccおよび低位側電源電位（接地電位）Ｇｎｄのほか、対向電極１７に印加されるコモン電位Ｖcomを生成する回路である。配線基板３０の板面上には多数の配線３１が形成されている。これらの配線３１は、電源回路３３を含む種々の電子回路から出力された信号を伝送するためのものであり、各電子回路から図１の接続部３５に至るようにパターニングされている。例えば、図１に示す配線３１１は、電源回路３３のうちコモン電位Ｖcomが出力される端子から接続部３５に至るように形成され、配線３１２は電源回路３３のうち低位側電源電位Ｇｎｄが出力される端子から接続部３５に至るように形成されている。
【００１７】
液晶パネル１０と配線基板３０とはＦＰＣ２０を介して接続されている。このＦＰＣ２０は、可撓性を有するフィルム状の基材２１を具備する。この基材２１のうち液晶パネル１０および配線基板３０に対向する板面（図１における奥側の板面）上には、基材２１のうち液晶パネル１０に固定される端部２１ａから配線基板３０に固定される端部２１ｂに至るように多数の配線２３が形成されている。これらの配線２３は、配線基板３０と液晶パネル１０とを電気的に接続するためのものである。より具体的には、基材２１の端部２１ａが異方性導電膜（図示略）を介して素子基板１１の張出部１１ａに固定された状態において、各配線２３は素子基板１１の周縁１１ｂに形成された配線１５と電気的に接続される。一方、基材２１の端部２１ｂが異方性導電膜（図示略）を介して配線基板３０の接続部３５に固定された状態において、各配線２３は接続部３５に至った配線３１と電気的に接続される。これらの配線２３のうち図１に示す配線２３１（以下では特に「コモン配線２３１」と表記する場合がある）は、配線基板３０の接続部３５に至った配線３１１と電気的に接続されてコモン電位Ｖcomを液晶パネル１０に供給する。一方、配線２３２（以下では特に「接地線２３２」と表記する場合がある）は、配線基板３０の配線３１２と電気的に接続されて低位側電源電位Ｇｎｄを液晶パネル１０に供給する。
【００１８】
図１に示されるように、コモン配線２３１と接地線２３２とは基材２１上において相互に隣接する。そして、コモン配線２３１と接地線２３２との間にはチップコンデンサ２５１が介挿されている。ここで、図３は、コモン配線２３１および接地線２３２とチップコンデンサ２５１との電気的な関係を示す等価回路図である。図１および図３に示されるように、チップコンデンサ２５１は、その一端がコモン配線２３１に接続されるとともに他端が接地線２３２に接続されるように基材２１上に実装されている。したがって、チップコンデンサ２５１は、コモン配線２３１と接地線２３２とを介して電源回路３３と並列に接続されて平滑用コンデンサ（バイパスコンデンサ）として機能する。このチップコンデンサ２５１は、基材２１のうち液晶パネル１０に接合された端部２１ａの近傍に実装されている。図１における直線Ｌcは、基材２１のうち液晶パネル１０に接合された端部２１ａと配線基板３０に接合された端部２１ｂとの中央部を通る直線（すなわち端部２１ａと端部２１ｂとから略等しい距離にある直線）である。チップコンデンサ２５１は、この直線Ｌcからみて液晶パネル１０側に配置されている。
【００１９】
このように、本実施形態においては、平滑用コンデンサとして機能するチップコンデンサ２５１がＦＰＣ２０に実装されているから、電源回路３３から出力されたコモン電位Ｖcomおよび低位側電源電位Ｇｎｄは、図３に示されるように配線基板３０に設けられた配線３１のインダクタンス成分Ｌ1のほかＦＰＣ２０に設けられた配線２３のインダクタンス成分Ｌ2を経由した後の段階でノイズやリプルが除去される。したがって、本発明によれば、平滑用コンデンサを配線基板３０上に設けた構成と比較して、対向電極１７に印加されるコモン電位Ｖcomのノイズやリプルを有効に低減することができる。しかも、本実施形態によれば、基材２１のうち液晶パネル１０に固定される端部２１ａの近傍にチップコンデンサ２５１が設けられているから、配線基板３０に固定される端部２１ｂの近傍にチップコンデンサ２５１が設けられた構成と比較して、ＦＰＣ２０の配線２３のインダクタンス成分Ｌ2の影響を低減することができる。
【００２０】
＜Ｂ：第２実施形態＞
上記実施形態においてはチップコンデンサ２５１を平滑用コンデンサとして利用した構成を例示した。これに対し、本実施形態においては、コモン配線２３１と接地線２３２とが平滑用コンデンサの電極として兼用される。図４は、本実施形態に係るＦＰＣ２０の構成を示す平面図であり、図５は、図４におけるＶ−Ｖ線からみた断面図である。なお、図４においては基材２１のうち液晶パネル１０の素子基板１１および配線基板３０に対向する板面が手前側に示されている（すなわち図１とはＦＰＣ２０の表裏が逆転している）。また、本実施形態に係る液晶装置１００の構成要素のうち上記第１実施形態と同様の作用を営むものについては共通の符号を付して詳細な説明を適宜に省略する。
【００２１】
図４および図５に示されるように、コモン電位Ｖcomが印加されるコモン配線２３１および低位側電源電位Ｇｎｄが印加される接地線２３２の各々は、基材２１のうち端部２１ａおよび端部２１ｂの近傍にそれぞれ位置する配線部分２８ａおよび２８ｂと、配線部分２８ａおよび２８ｂよりも幅広に形成された電極部分２９とを有する。コモン配線２３１および接地線２３２の各々における配線部分２８ａおよび２８ｂと電極部分２９とは、単一の導電膜をパターニングすることにより共通の工程において一体に形成される。
【００２２】
図４に示されるように基材２１の板面に垂直な方向からみると、コモン配線２３１の電極部分２９と接地線２３２の電極部分２９とは相互に重なり合う。これに対し、コモン配線２３１の配線部分２８ａおよび２８ｂと接地線２３２の配線部分２８ａおよび２８ｂとはそれぞれ基材２１上の異なる位置に相互に離間して形成されている。さらに詳述すると、図４に示されるように、コモン配線２３１の電極部分２９は当該コモン配線２３１の配線部分２８ａおよび２８ｂよりも接地線２３２側に突出するように形成される一方、接地線２３２の電極部分２９は当該接地線２３２の配線部分２８ａおよび２８ｂよりもコモン配線２３１側に突出するように形成されており、これらの突出した部分同士が相互に重なり合うようになっている。図４および図５に示されるように、コモン配線２３１の電極部分２９と接地線２３２の電極部分２９とは、双方の間に介挿された絶縁層２６１によって電気的に絶縁されている。より具体的には、図５に示されるように、基材２１の板面に形成されたコモン配線２３１の電極部分２９を覆うように絶縁層２６１が形成され、この絶縁層２６１の面上に接地線２３２の電極部分２９が形成されている。絶縁層２６１は誘電率の高い絶縁性材料からなる膜体である。したがって、絶縁層２６１を介して対向するコモン配線２３１の電極部分２９と接地線２３２の電極部分２９とによってコンデンサ２５２が構成される。一方、接地線２３２の電極部分２９は被覆層２６２（図４においては図示略）によって覆われている。この被覆層２６２は接地線２３２を保護するための膜体であり、例えば樹脂材料によって形成される。
【００２３】
この構成によれば、コモン配線２３１と接地線２３２とによって構成されるコンデンサ２５２が電源回路３３と並列に接続された平滑用コンデンサとして機能するから、図３と同様の回路が構成される。したがって、本実施形態によっても、平滑用コンデンサを配線基板３０上に設けた場合と比較して、走査線駆動回路１４１やデータ線駆動回路１４３に供給される電源電位のノイズやリプルを有効に低減することができる。
【００２４】
なお、本実施形態においては、基材２１とは別個に設けられた絶縁層２６１をコモン配線２３１と接地線２３２との間に介在させた構成を例示したが、コモン配線２３１の電極部分２９と接地線２３２の電極部分２９とを基材２１を介して対向させる構成も採用され得る。すなわち、図６および図７に示されるように、コモン配線２３１の電極部分２９を基材２１の一方の板面２１ｃに形成するとともに接地線２３２の電極部分２９を基材２１の他方の板面２１ｄに形成して相互に対向させる構成も採用され得る。ただし、コモン配線２３１および接地線２３２の双方を配線基板３０の配線３１と液晶パネル１０の配線１５とに接続するためには、基材２１の端部２１ａおよび端部２１ｂの近傍においてコモン配線２３１および接地線２３２の双方が接合面（素子基板１１または配線基板３０に対向する面）に存在している必要がある。このため、図６および図７に示される構成においては、コモン配線２３１のうち配線部分２８ａおよび２８ｂが板面２１ｄに形成されるとともに、この配線部分２８ａおよび２８ｂと板面２１ｃに形成された電極部分２９とが基材２１に設けられたスルーホール２１ｅを介して電気的に接続されている。この構成によっても上記各実施形態と同様の効果が得られる。加えて、図６および図７に示した構成によれば、コモン配線２３１と接地線２３２との間に誘電体として介挿される膜体（図５に示した絶縁層２６１）を基材２１とは別個に形成する必要がないから、上記第２実施形態と比較して製造工程を簡素化することができる。
【００２５】
＜Ｃ：第３実施形態＞
特に電気光学物質として液晶を用いた液晶装置においては、画像表示が終了した後にも各画素電極１２と対向電極１７１とに電荷が残留する場合が生じ得る。このように残留した電荷（以下では「残留電荷」という）は種々の不具合の原因となる。例えば、液晶パネル１０に対する給電が停止した後にも残留電荷に起因した直流電圧が液晶１８２に印加され続けることにより、液晶１８２の配向方向が所期の方向とは異なる方向に変化し、これにより表示品位の低下が引き起こされる。また、いったん画像表示が停止されてから再び画像表示が開始される段階においても依然として各画素電極１２や対向電極１７１に電荷が残留しているとすれば、画像表示に際して実際に液晶１８２に印加される電圧が本来の表示画像に応じた電圧とは残留電荷の分だけ異なることになるから、表示画像に対して残留電荷に起因した画像（すなわち前回に電源がオフされた直前において表示されていた画像）が残像のように重畳されることとなる。このような事情を背景として、残留電荷に起因した不具合の解消を図るための各種の技術が提案されている。例えば、特開２００１−１４７４１６号公報には、画像表示を終了するときに画素電極と対向電極とを同電位とすることによって残留電荷の除去を図る構成が開示されている。
【００２６】
この種の構成は上述した第１および第２の実施形態にも採用され得る。より具体的には、画像表示の終了を指示する信号（典型的には電源オフを指示する信号）が上位装置から入力されることを契機として、総ての画素電極１２に対して低位側電源電位Ｇｎｄを印加するとともに対向電極１７に印加されるコモン電位Ｖcomを低位側電源電位Ｇｎｄに至るまで低下させる構成を採用することができる。この構成によれば、各画素電極１２および対向電極１７１に蓄積されていた電荷が画像表示の終了に伴なって除去されるから、画像表示が停止されている期間（例えば電源がオフされている期間）において液晶１８２に直流電圧が印加される事態は回避される。
【００２７】
しかしながら、一端が対向電極１７１に接続された平滑用コンデンサを有する上記各実施形態の構成においては、画像表示の停止時に平滑用コンデンサに対して瞬間的に電荷が蓄積され、この結果としてコモン電位Ｖcomが低位側電源電位Ｇｎｄまで到達しない場合が生じ得る。すなわち、画像表示の停止に際してコモン電位Ｖcomを低下させ始めたタイミングにて対向電極１７１への印加電圧が瞬間的に変動し、この変動（ノイズ）に起因した電荷が平滑用コンデンサに蓄積される。特に、平滑用コンデンサの静電容量は液晶パネル１０における他の要素の静電容量と比較して著しく大きい（例えば３０μＦ（マイクロファラド）程度）のが一般的であるから、対向電極１７１に印加される電圧のノイズに起因して平滑用コンデンサには相当量の電荷が蓄積されることとなる。このように平滑用コンデンサに電荷が蓄積されると、コモン電位Ｖcomが低位側電源電位Ｇｎｄまで低下せず、したがって液晶１８２には画像表示の停止後にも直流電圧が印加され続けることとなる。
【００２８】
本実施形態は、このような不具合を防止して液晶１８２に対する直流電圧の印加を回避するための構成を上記第１または第２実施形態に適用した形態である。図８は、コモン配線２３１と接地線２３２との電気的な関係に特に着目して本実施形態に係る液晶装置１０の電気的な構成を示す等価回路図である。なお、同図に示す各部のうち上記各実施形態と同様の作用を営む部分については共通の符号を付してその詳細な説明を適宜に省略する。また、以下では、上記第１実施形態におけるチップコンデンサ２５１と上記第２実施形態におけるコンデンサ２５２とを総称して「平滑用コンデンサ２５」と表記する。
【００２９】
同図に示されるように、本実施形態においては、コモン配線２３１と接地線２３２とに介挿された平滑用コンデンサ２５がＦＰＣ２０に配置されている点で上記各実施形態と共通するが、コモン配線２３１と接地線２３２とが抵抗（以下「放電用抵抗」という）２７を介して電気的に接続されている点で上記各実施形態とは異なっている。さらに詳述すると、放電用抵抗２７は、一端がコモン配線２３１に接続される一方、他端が接地線２３２に接続されている。この放電用抵抗２７としては、ＦＰＣ２０上に実装されてコモン配線２３１および接地線２３２に接続された電気部品としての抵抗や、コモン配線２３１または接地線２３２よりも抵抗率が高い導電性材料によって基材２１上に形成された配線が採用され得る。なお、ここでは放電用抵抗２７がＦＰＣ２０上に設けられた構成を例示したが、この放電用抵抗２７が配置される箇所は任意である。例えば、一端が配線３１１に接続されて他端が配線３１２に接続された抵抗が放電用抵抗２７として配線基板３０上に配置された構成も採用され得るし、一端が対向電極１７１に対して直接的に接続されて他端が配線２３２（あるいは配線２３２に接続された配線１５）と電気的に接続された抵抗が放電用抵抗２７として液晶パネル１０上に配置された構成も採用され得る。すなわち、放電用抵抗２７の各端部が直接的に対向電極１７１と接続されているか他の配線（例えば配線１５、２３または３１）を介して間接的に対向電極１７１と接続されているかは不問であり、対向電極１７１と接地線２３２とが放電用抵抗２７を介して電気的に接続された構成（すなわち対向電極１７１から接地線２３２に至る電気的経路に放電用抵抗２７が介挿された構成）であれば足りる。
【００３０】
この構成によれば、コモン電位Ｖcomを低下させ始める瞬間に平滑用コンデンサ２５に電荷が蓄積されたとしても、この電荷は放電用抵抗２７を経由して接地線２３２に放出されることとなる。すなわち、コモン電位Ｖcomのノイズに伴なって平滑用コンデンサ２５に蓄積された電荷は放電用抵抗２７によって放電させられる。したがって、コモン電位Ｖcomを接地線２３２の低位側電源電位Ｇｎｄと略一致するまで低下させることができるから、平滑用コンデンサ２５に蓄積された電荷に起因して液晶１８２に直流電圧が印加される事態は未然に防止される。
【００３１】
ところで、平滑用コンデンサ２５に蓄積された電荷を効率よく放電するという観点からすると放電用抵抗２７の抵抗値はより低いことが望ましい。特に、平滑用コンデンサ２５の静電容量が大きいほどこれに蓄積される電荷量は増大するから、この電荷を充分に放電するためには抵抗値の低い放電用抵抗２７を利用する必要がある。しかしながら、この放電用抵抗２７の抵抗値をあまりに低くした場合には、液晶パネル１０が画像表示を行なう総ての期間にわたって電流が対向電極１７１から放電用抵抗２７を経由して接地線２３２に流れ続けることとなって消費電力の増大を招きかねない。本願発明者による実験によれば、放電用抵抗２７の抵抗値を１００ｋΩ（キロオーム）程度とすれば消費電力に重大な影響を与えることなく平滑用コンデンサ２５の電荷を有効に放電させることができるという知見を得るに至った。したがって、放電用抵抗２７の抵抗値は１００ｋΩ以上とすることが望ましい。
【００３２】
＜Ｄ：変形例＞
上記実施形態に対しては種々の変形が加えられ得る。具体的な変形の態様を挙げれば以下の通りである。
【００３３】
（１）上記第２実施形態においてはコモン配線２３１および接地線２３２に幅広の電極部分２９を設けて相互に重ねる構成を例示した。この構成によれば、コモン配線２３１と接地線２３２とを基材２１上において単に隣接させた構成と比較して平滑用コンデンサの静電容量を増大させることができる。しかしながら、コモン電位Ｖcom（あるいは高位側電源電位Ｖccや低位側電源電位Ｇｎｄ）のノイズやリプルを除去するために充分な静電容量が得られるのであれば、コモン配線２３１および接地線２３２に電極部分２９を設けた構成や相互に重ね合わせた構成を採用する必要は必ずしもない。
【００３４】
（２）上記実施形態においてはＦＰＣ２０に設けられた平滑用コンデンサ２５に特に着目して説明を進めたが、これに加えて配線基板３０に平滑用コンデンサ（バイパスコンデンサ）を設けた構成も採用され得る。この構成によれば、コモン電位Ｖcomや電源電位（高位側電源電位Ｖccおよび低位側電源電位Ｇｎｄ）のノイズやリプルがさらに低減される。
【００３５】
（３）上記実施形態においては電源電位とコモン電位Ｖcomとがひとつの電源回路３３によって生成される構成を例示したが、電源電位を生成する回路とコモン電位Ｖcomを生成する回路とが別個の回路とされた構成も採用され得る。すなわち、本発明における「電源回路」とは、外観上において単一の回路であるか複数の回路であるかを問わない。また、上記実施形態においてはコモン電位Ｖcomが略一定の電位である構成を例示したが、コモン電位Ｖcomは経時的にレベル変動する電位であってもよい。例えば、表示画像の階調に応じて画素電極１２に印加される電位が所定時間（例えば水平走査期間や垂直走査期間）ごとに基準電位に対して極性反転される構成のもとでは、この極性反転に同期してコモン電位Ｖcomのレベルを変動させる構成も採用され得る。
【００３６】
（４）上記実施形態においては電気光学物質として液晶を用いた液晶装置を例示したが、これ以外の電気光学物質を用いた電気光学装置にも本発明は適用され得る。例えば、有機ＥＬ（ElectroLuminescent）や発光ポリマーなどの有機発光ダイオード（ＯＬＥＤ）素子を電気光学物質として用いた表示装置、ヘリウムやネオンなどの高圧ガスを電気光学物質として用いたプラズマディスプレイパネル、あるいは蛍光体を電気光学物質として用いたフィールドエミッションディスプレイなど種々の電気光学装置に本発明を適用可能である。
【００３７】
＜Ｅ：電子機器＞
次に、本発明に係る電気光学装置を有する電子機器について説明する。
【００３８】
図９は、本発明に係る電気光学装置（ここでは上記実施形態に係る液晶装置１００）をライトバルブとして用いたプロジェクタの構成を示す平面図である。同図に示されるように、プロジェクタ２１００は、ハロゲンランプなどの白色光源からなるランプユニット２１０２を有する。このランプユニット２１０２から出射した投射光は、３枚のミラー２１０４および２枚のダイクロイックミラー２１０８によって赤色（Ｒ）、緑色（Ｇ）および青色（Ｂ）の３原色に対応する波長の光に分離され、各色に対応するライトバルブ１００Ｒ、１００Ｇおよび１００Ｂにそれぞれ導かれる。なお、青色に対応する光は、他色に対応する光と比較して光路が長いので、その損失を防ぐためにリレーレンズ系２１２１を介してライトバルブ１００Ｂに導かれる。リレーレンズ系２１２１は、入射レンズ２１２２、リレーレンズ２１２３および出射レンズ２１２４からなる。
【００３９】
ここで、ライトバルブ１００Ｒ、１００Ｇおよび１００Ｂは上記実施形態に係る液晶装置１００と同様の構成を有し、画像信号処理回路２から供給される赤色、緑色および青色の各色に対応する画像信号によって各々が駆動される。これらのライトバルブ１００Ｒ、１００Ｇおよび１００Ｂによって変調された光は、ダイクロイックプリズム２１１２に異なる方向から入射する。そして、このダイクロイックプリズム２１１２において、赤色および青色の光は９０度だけ屈折させられる一方、緑色の光は直進する。この構成のもと、各色の画像を合成したカラー画像が投射レンズ２１１４によってスクリーン２１２０に投射される。
【００４０】
なお、本発明に係る電気光学装置が利用され得る電子機器としては、図９に示されるプロジェクタのほかにも、可搬型のパーソナルコンピュータ、液晶テレビ、ビューファインダ型（またはモニタ直視型）のビデオレコーダ、カーナビゲーション装置、ページャ、電子手帳、電卓、ワードプロセッサ、ワークステーション、テレビ電話、ＰＯＳ端末、タッチパネルを備えた機器等などが挙げられる。
【図面の簡単な説明】
【００４１】
【図１】本発明の第１実施形態に係る液晶装置の構成を示す平面図である。
【図２】図１におけるII−II線からみた断面図である。
【図３】同液晶装置のうちコモン配線および電源線と平滑用コンデンサとの関係を示す等価回路図である。
【図４】本発明の第２実施形態に係る液晶装置のうちＦＰＣを拡大して示す平面図である。
【図５】図４におけるＶ−Ｖ線からみた断面図である。
【図６】変形例に係る液晶装置のうちＦＰＣの構成を示す断面図である。
【図７】図６におけるVII−VII線からみた断面図である。
【図８】本発明の第３実施形態に係る液晶装置のうちコモン配線と電源線との関係を示す等価回路図である。
【図９】本発明に係る電子機器の一例であるプロジェクタの構成を示す断面図である。
【符号の説明】
【００４２】
１００……液晶装置、１０……液晶パネル、１１……素子基板、１２……画素電極、１４１……走査線駆動回路、１４３……データ線駆動回路、１５，２３，３１……配線、１７……対向基板、２０……ＦＰＣ（フレキシブル配線基板）、２１……基材、２１ａ……液晶パネル側の端部、２１ｂ……配線基板側の端部、２３１……コモン配線（第１の配線）、２３２……接地線（第２の配線）、２８ａ，２８ｂ……配線部分、２９……電極部分、２６１……絶縁層、２５……平滑用コンデンサ（静電容量）、２５１……チップコンデンサ、２５２……コンデンサ、２７……放電用抵抗、３０……配線基板、３１１……コモン電位が印加される配線、３１２……低位側電源電位が印加される配線、３３……電源回路。
【図１】
2005208481.tif 000003
【図２】
2005208481.tif 000004
【図３】
2005208481.tif 000005
【図４】
2005208481.tif 000006
【図５】
2005208481.tif 000007
【図６】
2005208481.tif 000008
【図７】
2005208481.tif 000009
【図８】
2005208481.tif 000010
【図９】
2005208481.tif 000011